(57)【要約】【課題】使い勝手のよい電子機器を提供する。【解決手段】電子機器（２００Ａ）は、画像を表示可能な表示部（２１０）と、前記画像を前記表示部に表示する前に、前記画像に関するデータを前記表示部とは分離可能な機器に送信する送信部（２２４）と、前記画像の表示に関する制限情報を前記機器から受信する受信部（２２４）と、を備える。【選択図】図１
2014146932.tif 000002
【特許請求の範囲】
【請求項１】
画像を表示可能な表示部と、
前記画像を前記表示部に表示する前に、前記画像に関するデータを前記表示部とは分離可能な機器に送信する送信部と、
前記画像の表示に関する制限情報を前記機器から受信する受信部と、を備えることを特徴とする電子機器。
【請求項２】
前記機器と係合可能な係合部を備え、
前記送信部は、前記係合部が前記機器と係合していない場合に、前記機器に前記画像に関するデータを送信することを特徴とする請求項１記載の電子機器。
【請求項３】
前記送信部は、第１の画像が前記表示部に表示されている間に、前記第１の画像よりも表示順序が後である第２の画像に関するデータを前記機器に送信することを特徴とする請求項１または２記載の電子機器。
【請求項４】
前記送信部は、予め定められた枚数の画像に関するデータを前記機器に送信することを特徴とする請求項１から３のいずれか一項記載の電子機器。
【請求項５】
前記送信部は、前記画像に関するデータとして、前記表示する画像よりもサイズの小さいデータを送信することを特徴とする請求項１から４のいずれか一項記載の電子機器。
【請求項６】
前記送信部及び前記受信部は、前記係合部が前記機器と係合している場合、前記係合部を介して前記機器と通信を行い、前記係合部が前記機器と係合していない場合、前記機器と無線通信を行うことを特徴とする請求項１から５のいずれか一項記載の電子機器。
【請求項７】
前記画像を投影する投影部を備え、
前記送信部は、前記投影部による投影前に、前記画像に関するデータを前記機器に送信することを特徴とする請求項１から６のいずれか一項記載の電子機器。
【請求項８】
機器と係合可能な電子機器であって、
前記機器から受信した画像に関するデータと、記憶部に記憶されている画像に関するデータとの少なくとも一方に対し制限情報を設定する設定部と、
前記制限情報を前記機器に送信する送信部と、
を備えることを特徴とする電子機器。
【請求項９】
前記設定部は、第１の画像が前記外部機器に表示されている間に、前記第１の画像よりも表示順序が後である第２の画像に関するデータに対して制限情報を設定することを特徴とする請求項８記載の電子機器。
【請求項１０】
前記制限情報は、前記画像の表示を制限する情報を含むことを特徴とする請求項８または９記載の電子機器。
【発明の詳細な説明】
【技術分野】
【０００１】
本発明は、電子機器に関する。
【背景技術】
【０００２】
従来より、撮像装置と、撮像装置とは別体の表示装置とを有する無線通信カメラが提案されている（例えば、特許文献１参照）。
【先行技術文献】
【特許文献】
【０００３】
【特許文献１】特開２００６―３２５１５０号公報
【発明の概要】
【発明が解決しようとする課題】
【０００４】
しかしながら、従来の無線通信カメラでは、撮像装置と表示装置とが分離している状態と分離していない状態とでの操作性が十分に考慮されておらず、使い勝手がよくない場合があった。
【０００５】
本発明は上記の課題に鑑みてなされたものであり、使い勝手のよい電子機器を提供することを目的とする。
【課題を解決するための手段】
【０００６】
本発明の電子機器（２００Ａ）は、画像を表示可能な表示部（２１０）と、前記画像を前記表示部に表示する前に、前記画像に関するデータを前記表示部とは分離可能な機器（１００Ａ）に送信する送信部（２２４）と、前記画像の表示に関する制限情報を前記機器から受信する受信部（２２４）と、を備える。
【０００７】
この場合において、前記機器と係合可能な係合部（２２０）を備え、前記送信部は、前記係合部が前記機器と係合していない場合に、前記機器に前記画像に関するデータを送信することとしてもよい。
【０００８】
また、本発明において、前記送信部は、第１の画像が前記表示部に表示されている間に、前記第１の画像よりも表示順序が後である第２の画像に関するデータを前記機器に送信することとしてもよい。また、前記送信部は、予め定められた枚数の画像に関するデータを前記機器に送信することとしてもよい。また、前記送信部は、前記画像に関するデータとして、前記表示する画像よりもサイズの小さいデータを送信することとしてもよい。
【０００９】
また、前記送信部及び前記受信部は、前記係合部が前記機器と係合している場合に前記係合部を介して前記機器と通信を行い、前記係合部が前記機器と係合していない場合に前記機器と無線通信を行うこととしてもよい。
【００１０】
さらに、本発明の電子機器は、前記画像を投影する投影部（２２３）を備え、前記送信部は、前記投影部による投影前に、前記画像に関するデータを前記機器に送信することとしてもよい。
【００１１】
本発明の電子機器（１００Ａ）は、機器（２００Ａ）と係合可能な電子機器であって、前記機器から受信した画像データと、記憶部（１１６）に記憶されている画像データとの少なくとも一方に対し制限情報を設定する設定部（１２４）と、前記制限情報を前記機器に送信する送信部（１２４）と、を備える。
【００１２】
この場合において、前記設定部は、第１の画像が前記外部機器に表示されている間に、前記第１の画像よりも表示順序が後である第２の画像に関するデータに対して制限情報を設定することとしてもよい。また、本発明において、前記制限情報は、前記画像の表示を制限する情報を含むこととしてもよい。
【００１３】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１４】
本発明は、使い勝手のよい電子機器を提供できるという効果を奏する。
【図面の簡単な説明】
【００１５】
【図１】第１の実施形態に係る電子機器の構成の一例を示すブロック図である。
【図２】図２（Ａ）及び図２（Ｂ）は、第１の実施形態に係る電子機器において、撮像ユニットと表示ユニットとが係合した状態を示す図であり、図２（Ｃ）及び図２（Ｄ）は、撮像ユニットと表示ユニットとが分離した状態を示す図である。
【図３】図３は、表示ユニットの制御部が実行する処理の一例を示すフローチャートである。
【図４】図４は、撮像ユニットの制御部が実行する処理の一例を示すフローチャートである。
【図５】図５（Ａ）は、表示ユニットの表示部に表示される操作用画像の一例を示し、図５（Ｂ）は、撮像ユニットの表示部に表示される操作用画像の一例を示す図である。
【図６】図６（Ａ）は、撮像ユニットの制御部が実行する、画像の表示を制限するための処理の一例を示すフローチャートであり、図６（Ｂ）は、表示ユニットの制御部が実行する、画像の表示を制限するための処理の一例を示すフローチャートである。
【図７】図７（Ａ）は、表示を制限する画像を選択する画面の一例を示す図であり、図７（Ｂ）は、制限情報テーブルの一例を示す図であり、図７（Ｃ）は、表示ユニットに表示される画像の一例を示す図である。
【図８】図８（Ａ）、図８（Ｂ）は、第１の実施形態の変形例１を説明するためのフローチャートである。
【図９】第１の実施形態の変形例２に係る電子機器の構成の一例を示すブロック図である。
【図１０】図１０（Ａ）及び図１０（Ｂ）は、第１の実施形態の変形例２に係る電子機器において、撮像ユニットと表示ユニットとが係合している状態を示す図であり、図１０（Ｃ）及び図１０（Ｄ）は、撮像ユニットと表示ユニットとが分離している状態を示す図である。
【図１１】第１の実施形態の変形例３に係る電子機器の構成の一例を示すブロック図である。
【図１２】図１２（Ａ）及び図１２（Ｂ）は、第１の実施形態の変形例３に係る電子機器において、撮像ユニットと表示ユニットとが係合している状態を示す図であり、図１２（Ｃ）及び図１２（Ｄ）は、撮像ユニットと表示ユニットとが分離している状態を示す図である。
【図１３】図１３（Ａ）〜図１３（Ｃ）は、第１の実施形態の変形例３に係る電子機器において、表示ユニットが撮像ユニットに収納される場合の、撮像ユニットと表示ユニットとの係合状態と分離状態とを示す図である。
【図１４】第２の実施形態に係る電子機器の構成の一例を示すブロック図である。
【図１５】図１５（Ａ）は、第２の実施形態に係る電子機器において、撮像ユニットと表示ユニットとが係合している状態を示す図であり、図１５（Ｂ）及び図１５（Ｃ）は、撮像ユニットと表示ユニットとが分離している状態を示す図である。
【図１６】第２の実施形態に係る表示ユニットが実行する処理の一例を示すフローチャートである。
【図１７】第２の実施形態に係る撮像ユニットが実行する処理の一例を示すフローチャートである。
【発明を実施するための形態】
【００１６】
《第１の実施形態》
以下、第１の実施形態について、図１〜図７に基づいて、詳細に説明する。図１には、第１の実施形態に係る電子機器３００Ａの構成がブロック図にて示されている。また、図２（Ａ）及び図２（Ｂ）は、電子機器３００Ａが備える撮像ユニット１００Ａと表示ユニット２００Ａとが係合している状態（以下、係合状態と称す）を示す図であり、図２（Ｃ）及び図２（Ｄ）は、電子機器３００Ａが備える撮像ユニット１００Ａと表示ユニット２００Ａとが分離している状態（以下、分離状態と称す）を示す図である。
【００１７】
図１に示すように、電子機器３００Ａは、撮像ユニット１００Ａと表示ユニット２００Ａと、を備える。なお、本実施形態の電子機器３００Ａは、ユーザが撮像ユニット１００Ａ又は表示ユニット２００Ａにより撮像を行うことができる「撮像モード」と、ユーザが画像データを閲覧できる「閲覧モード」とを有し、ユーザは利用するモードを適宜切り替えることができるようになっている。
【００１８】
（撮像ユニット１００Ａ）
撮像ユニット１００Ａは、係合状態において、図２（Ａ）及び図２（Ｂ）に示すように、表示ユニット２００Ａが備える凹部２０１（図２（Ｄ）参照）に収納される。
【００１９】
撮像ユニット１００Ａは、図１に示すように、レンズ部１０２、レンズ駆動部１０４、撮像素子１０５、Ａ／Ｄ（Analog/Digital）変換部１０６、ＡＳＩＣ（Application Specific Integrated Circuit）１０８、表示部１１０、操作部１１１、記憶媒体１１６、メモリ１１８、コネクタ１２０、無線通信部１２２、及び制御部１２４を有する。なお、撮像ユニット１００Ａは、一眼レフカメラ、ミラーレスカメラ、コンパクトカメラのいずれのタイプであってもよい。
【００２０】
レンズ部１０２は、ズームレンズやフォーカシングレンズを含む複数のレンズ群で構成され、後述するレリーズスイッチ（ＳＷ）１１４やレリーズＳＷ２１４の操作に応じて被写体像を撮像素子１０５の撮像面に結像させる。
【００２１】
レンズ駆動部１０４は、例えばモータやアクチュエータなどを備え、ズームやフォーカシングを行うためにレンズ部１０２を駆動する。また、レンズ駆動部１０４は、操作環等を介したユーザのマニュアル操作をレンズ部１０２に伝達する伝達機構を有する。なお、レンズ部１０２およびレンズ駆動部１０４は、撮像ユニット１００Ａからの取り外しや、交換が可能であってもよい。
【００２２】
撮像素子１０５は、受光素子が撮像面に二次元配列されたＣＭＯＳ（Complementary Metal Oxide Semiconductor）イメージセンサ等を備え、アナログ画像信号を生成する。
【００２３】
Ａ／Ｄ変換部１０６は、撮像素子１０５が生成したアナログ画像信号をデジタル画像信号に変換し、制御部１２４へ出力する。
【００２４】
ＡＳＩＣ１０８は、制御部１２４から入力されたデジタル画像信号に対して、各種の画像処理（色補間処理、階調変換処理、輪郭強調処理、ホワイトバランス調整処理、画像圧縮処理、画像伸張処理など）を行う回路である。ＡＳＩＣ１０８によって処理された画像データ（例えば、サムネイル表示用データや、このサムネイル表示用データよりも解像度の高い本画像データなど）は、制御部１２４の制御の下、表示部１１０に表示されたり、記憶媒体１１６に記憶される。
【００２５】
表示部１１０は、例えば、ＬＣＤ（Liquid Crystal Display）であり、撮像ユニット１００Ａに対する各種の設定情報や、撮像ユニット１００Ａを操作するための操作メニュー、アイコンなどを表示する。また、表示部１１０は、ＡＳＩＣ１０８の出力に基づくライブビュー画像（スルー画像）や、後述する記憶媒体１１６に記録されている静止画像や動画像を表示する。
【００２６】
操作部１１１は、例えば、タッチパネル１１２とレリーズＳＷ１１４とを含む。本実施形態において、操作部１１１は、ユーザから撮像ユニット１００Ａに対する操作を受け付ける。
【００２７】
タッチパネル１１２は、表示部１１０上に設けられ、又は表示部１１０内に組み込まれ、表示部１１０の表面に対するユーザの接触操作を検出し、種々の情報入力を受け付ける。すなわち、ユーザは、表示部１１０に表示された操作メニューやアイコンに触れる動作を行うことで、撮像ユニット１００Ａを操作することができる。なお、タッチパネル１１２を後述するレリーズＳＷ１１４の代わりに用いてもよい。この場合、例えば、表示部１１０に表示されたスルー画像への操作に応じて、被写体像がレンズ部１０２を介して撮像素子１０５の撮像面に結像される。なお、本実施形態では、タッチパネル１１２は、係合状態では表示ユニット２００Ａによって隠れてしまう（図２（Ｂ）参照）ため、分離状態においてのみ使用される。
【００２８】
レリーズＳＷ１１４は、例えば、静止画像の撮像を指示する場合にユーザによって操作される（押される）スイッチである。なお、本実施形態では、レリーズＳＷ１１４は、係合状態では表示ユニット２００Ａによって隠れてしまう（図２（Ｂ）参照）ため、分離状態においてのみ使用される。
【００２９】
記憶媒体１１６は、例えば、ＳＤカードであり、静止画のデータや動画のデータを記憶する。なお、記憶媒体１１６は、撮像ユニット１００Ａ（不図示のカードスロットル）から着脱可能である。
【００３０】
メモリ１１８は、不揮発性の半導体メモリ（例えば、フラッシュメモリ）であり、制御部１２４によって実行される撮像ユニット１００Ａを制御するためのプログラムや各種パラメータが記憶されている。
【００３１】
コネクタ１２０は、後述する表示ユニット２００Ａのコネクタ２２０と係合可能であり、撮像ユニット１００Ａと表示ユニット２００Ａとを電気的に接続する。これにより、撮像ユニット１００Ａと表示ユニット２００Ａとの間で通信やデータの送受信が可能となる。本実施形態において、コネクタ１２０は、図２（Ｃ）に示すように、撮像ユニット１００Ａの筐体の側面に設けられているものとする。なお、コネクタ１２０を配置する位置、及び接点の数は適宜決定すればよい。
【００３２】
無線通信部１２２は、撮像ユニット１００Ａと表示ユニット２００Ａとが分離状態にあるときに、上述したコネクタ１２０の代わりに、撮像ユニット１００Ａと表示ユニット２００Ａとの間の通信やデータの送受信を可能とするものである。
【００３３】
制御部１２４は、ＣＰＵ（Central Processing Unit）を備え、撮像ユニット１００Ａ全体を制御する。なお、制御部１２４が実行する処理の詳細については後述する。
【００３４】
（表示ユニット２００Ａ）
表示ユニット２００Ａは、図１に示すように、レンズ部２０２、撮像素子２０５、Ａ／Ｄ変換部２０６、ＡＳＩＣ２０８、表示部２１０、操作部２１１、記憶媒体２１６、メモリ２１８、コネクタ２２０、無線通信部２２２、プロジェクタ２２３、及び制御部２２４を有する。
【００３５】
レンズ部２０２は、ズームレンズやフォーカシングレンズを含む複数のレンズ群で構成され、後述するレリーズＳＷ２１４の操作に応じて被写体像を撮像素子２０５が備える撮像素子の撮像面に結像させる。なお、本実施形態において、レンズ部２０２は、係合状態において撮像ユニット１００Ａに隠れてしまうため、使用されない。
【００３６】
撮像素子２０５は、受光素子が撮像面に二次元配列されたＣＭＯＳイメージセンサ等を備え、アナログ画像信号を生成する。
【００３７】
Ａ／Ｄ変換部２０６は、撮像素子２０５により生成されたアナログ画像信号をデジタル画像信号に変換し、制御部２２４に出力する。
【００３８】
ＡＳＩＣ２０８は、制御部２２４から入力されたデジタル画像信号に対して各種の画像処理を行う。ＡＳＩＣ２０８によって処理された画像データは、制御部２２４の制御の下、表示部２１０に表示されたり、記憶媒体２１６に記憶される。
【００３９】
表示部２１０は、例えば、ＬＣＤであり、係合状態において、撮像ユニット１００Ａに対する各種の設定情報や、撮像ユニット１００Ａを操作するための操作メニュー、アイコンなどを表示する。また、表示部２１０は、ＡＳＩＣ２０８の出力に基づくライブビュー画像（スルー画像）や、記憶媒体１１６あるいは記憶媒体２１６に記録されている静止画像や動画像を表示する。さらに、表示部２１０は、分離状態において、表示ユニット２００Ａに対する各種の設定情報や、表示ユニット２００Ａを操作するための操作メニュー、アイコンなどを表示する。また、表示部２１０は、分離状態において、撮像素子２０５から出力されるアナログ画像に基づくライブビュー画像（スルー画像）や、後述する記憶媒体２１６に記憶されている静止画像や動画像を表示する。
【００４０】
操作部２１１は、タッチパネル２１２及びレリーズＳＷ２１４を含む。操作部２１１は、ユーザから、撮像ユニット１００Ａまたは表示ユニット２００Ａに対する操作を受け付ける。
【００４１】
タッチパネル２１２は、表示部２１０上または表示部２１０内に組み込まれて設けられる。タッチパネル２１２は、表示部２１０の表面に対するユーザの接触操作を検出し、種々の情報入力を受け付ける。したがって、ユーザは、表示部２１０に表示された操作メニューやアイコンに触れる動作を行うことで、撮像ユニット１００Ａまたは表示ユニット２００Ａを操作できる。なお、タッチパネル２１２を後述するレリーズＳＷ２１４の代わりに用いてもよい。
【００４２】
レリーズＳＷ２１４は、例えば、静止画像の撮像を指示する場合にユーザによって操作される（押される）スイッチである。
【００４３】
記憶媒体２１６は、例えば、ＳＤカードであり、静止画のデータや動画のデータを記憶する。記憶媒体２１６は、表示ユニット２００Ａ（不図示のカードスロットル）から着脱可能である。
【００４４】
メモリ２１８は、不揮発性の半導体メモリ（例えば、フラッシュメモリ）であり、制御部２２４によって実行される表示ユニット２００Ａを制御するためのプログラムや各種パラメータを記憶する。
【００４５】
コネクタ２２０は、前述した撮像ユニット１００Ａのコネクタ１２０と係合可能であり、撮像ユニット１００Ａと表示ユニット２００Ａとを電気的に接続する。これにより、撮像ユニット１００Ａと表示ユニット２００Ａとの間で通信やデータの送受信が可能となる。本実施形態においては、図２（Ｄ）に示すように、コネクタ２２０は、撮像ユニット１００Ａを収納するための凹部２０１の側面において、コネクタ１２０と対応する位置に設けられているものとする。なお、コネクタ２２０を配置する位置、および、接点の数は、コネクタ１２０に合わせて適宜決定すればよい。
【００４６】
無線通信部２２２は、撮像ユニット１００Ａと表示ユニット２００Ａとが分離状態にある場合に、上述したコネクタ２２０の代わりに、撮像ユニット１００Ａと表示ユニット２００Ａとの間の通信やデータの送受信を可能にする。
【００４７】
プロジェクタ２２３は、記憶媒体２１６に記憶されている静止画や動画をスクリーンや壁等に投影するものである。本実施形態において、プロジェクタ２２３は、表示ユニット２００Ａが備える凹部２０１の底面に設けられているものとする。なお、表示ユニット２００Ａにおいてプロジェクタ２２３を配置する位置は、適宜決定すればよく、例えば、凹部２０１の周囲の枠上に設けてもよい。
【００４８】
制御部２２４は、ＣＰＵを備え、表示ユニット２００Ａ全体を制御するとともに、表示ユニット２００Ａと撮像ユニット１００Ａとが係合状態にある場合には、制御部１２４との協調制御を行う。さらに、制御部１２４は、電子機器３００Ａのモード（撮像モード、閲覧モード）に応じた制御を実行する。
【００４９】
（表示ユニット２００Ａの制御部２２４の処理）
次に、表示ユニット２００Ａの制御部２２４が実行する処理の一例について、図３のフローチャートを用いて説明する。なお、本実施形態において、図３の処理は、電子機器３００Ａの電源がオンされると開始されるものとする。
【００５０】
図３の処理では、まず、ステップＳ１０において、制御部２２４は、電子機器３００Ａが、「撮像モード」と「閲覧モード」のうち、「撮像モード」にあるか否かを判断する。ここでの判断が肯定された場合、すなわち、電子機器３００Ａが撮像モードにある場合、制御部２２４は、ステップＳ１２に移行する。なお、撮像モードと閲覧モードとの切り換えは、撮像ユニット１００Ａのタッチパネル１１２または表示ユニット２００Ａのタッチパネル２１２の操作によってユーザが行ってもよいし、係合状態では撮像モードが設定され、分離状態では閲覧モードが設定されるように初期設定されていてもよい。また、前回電子機器３００Ａの電源をオフした際に使用されていたモードが、電子機器３００Ａの電源投入時に設定されるようにしてもよい。
【００５１】
ステップＳ１２に移行すると、制御部２２４は、表示部２１０に、電子機器３００Ａを操作するための操作メニューやアイコンを含む画像（操作用画像）を表示する。これにより、表示部２１０は、タッチパネル２１２の操作画面として機能することとなる。なお、本実施形態においては、電子機器３００Ａの操作用画像には、例えば、撮像に関する各種設定を行うためのメニューアイコン２１０Ａと、上下左右の選択操作や撮像モードや閲覧モードの切り替えを設定する十字アイコン２１０Ｂと、が含まれている（図２（Ａ））参照）。なお、図２では、メニューアイコン２１０Ａを１つしか図示していないが複数のメニューアイコンを表示することも可能である。
【００５２】
次のステップＳ１４において、制御部２２４は、撮像ユニット１００Ａと表示ユニット２００Ａとが分離状態にあるか否かを判断する。撮像ユニット１００Ａと表示ユニット２００Ａとが分離状態にあるか否かは、コネクタ１２０とコネクタ２２０とが係合しているか否かによって判断してもよいし、撮像ユニット１００Ａと表示ユニット２００ＡとがそれぞれＩＣ(Integrated Circuit)タグリーダを有する場合には、撮像ユニット１００Ａと表示ユニット２００Ａとの通信強度（電波強度）に基づいて判断してもよい。ここでの判断が肯定された場合、すなわち、撮像ユニット１００Ａと表示ユニット２００Ａとが分離状態にある場合、制御部２２４は、ステップＳ１６に移行する。なお、本実施形態においては、ステップＳ１６に移行する場合、すなわち、撮像モードに設定され、かつ各ユニット１００Ａ、２００Ａが分離状態にある場合には、制御部２２４は、表示ユニット２００Ａを用いた撮像処理を実行する。
【００５３】
ステップＳ１６に移行すると、制御部２２４は、タッチパネル２１２が操作されたか否かを判断する。ここでの判断が肯定された場合、すなわち、タッチパネル２１２がユーザによって操作された場合、ステップＳ１８に移行する。そして、ステップＳ１８において、制御部２２４は、ステップＳ１６で受け付けた操作に応じた処理を表示ユニット２００Ａに対し実行し、ステップＳ２０に移行する。
【００５４】
一方、ユーザによってタッチパネル２１２が操作されず、ステップＳ１６の判断が否定された場合には、制御部２２４は、ステップＳ２０に移行する。
【００５５】
ステップＳ２０に移行すると、制御部２２４は、レリーズＳＷ２１４が押されたか否かを判断する。ここでの判断が肯定された場合、すなわち、レリーズＳＷ２１４が押された場合、制御部２２４は、ステップＳ２２において、表示ユニット２００Ａの撮像素子２０５を用いて撮像を実行し、ステップＳ１０に戻る。
【００５６】
一方、ユーザによってレリーズＳＷ２１４が押されず、ステップＳ２０の判断が否定された場合には、ステップＳ１６に戻る。そして、レリーズＳＷ２１４が押されるまで、ステップＳ１６〜Ｓ２０の処理を繰り返す。ただし、これに限らず、ステップＳ２０の判断が否定された場合に、制御部２２４は、ステップＳ１４に戻ることとしてもよい。
【００５７】
ところで、ステップＳ１４の判断が否定された場合、すなわち、撮像ユニット１００Ａと表示ユニット２００Ａとが係合状態にある場合、制御部２２４は、ステップＳ２６に移行する。なお、本実施形態においては、ステップＳ２６に移行する場合、すなわち、撮像モードに設定され、かつ各ユニット１００Ａ、２００Ａが係合状態にある場合には、制御部２２４は、撮像ユニット１００Ａを用いた撮像処理を実行する。
【００５８】
ステップＳ２６では、制御部２２４は、タッチパネル２１２がユーザにより操作されたか否かを判断する。ここでの判断が否定された場合には、制御部２２４は、ステップＳ３０に移行する。一方、ステップＳ２６の判断が肯定された場合には、制御部２２４は、ステップＳ２８において、タッチパネル２１２で受け付けた操作に対応する指示（操作指示）を、コネクタ１２０，２２０を介して、撮像ユニット１００Ａの制御部１２４に送信し、ステップＳ３０に移行する。なお、操作指示を受信した撮像ユニット１００Ａの制御部１２４は、操作指示に基づいて撮像ユニット１００Ａを制御する。
【００５９】
ステップＳ２６の判断が否定された後、又はステップＳ２８の後、ステップＳ３０に移行すると、制御部２２４は、レリーズＳＷ２１４が押されたか否かを判断する。ここでの判断が否定される間は、制御部２２４は、ステップＳ２６に戻り、ステップＳ２６〜Ｓ３０の処理・判断を繰り返す。一方、ステップＳ３０の判断が肯定されると、制御部２２４は、ステップＳ３２に移行し、撮像指示をコネクタ１２０，２２０を介して撮像ユニット１００Ａの制御部１２４に送信する。なお、撮像指示を受信した撮像ユニット１００Ａの制御部１２４は、撮像ユニット１００Ａの各部を制御して撮像を行う。ステップＳ３２の処理が終了すると、制御部２２４は、ステップＳ１０に戻る。
【００６０】
なお、図３では、ステップＳ３０の判断が否定された場合に、制御部２２４が、ステップＳ２６に戻る場合について説明したが、これに限らず、ステップＳ１４に戻ることとしてもよい。
【００６１】
ところで、ステップＳ１０の判断が否定された場合、すなわち、電子機器３００Ａが撮像モードになく「閲覧モード」にある場合には、制御部２２４は、ステップＳ５００に移行し、閲覧モード用の制御を実行する。なお、電子機器３００Ａが閲覧モードにある場合に制御部２２４が実行する処理については、後述する。
【００６２】
制御部２２４は、ステップＳ５００の処理が終了すると、ステップＳ１０に戻る。このようにして、図３の処理は、電子機器３００Ａの電源がオフされるまで繰り返される。
【００６３】
（撮像ユニット１００Ａの制御部１２４の処理）
次に、撮像ユニット１００Ａの制御部１２４が実行する処理について説明する。図４は、撮像ユニット１００Ａの制御部１２４が実行する処理の一例を示すフローチャートである。なお、本実施形態において、図４の処理は、電子機器３００Ａの電源がオンされると開始されるものとする。
【００６４】
図４の処理では、まず、ステップＳ５０において、制御部１２４は、電子機器３００Ａが、「撮像モード」と「閲覧モード」のうち、「撮像モード」にあるか否かを判断する。ここでの判断が肯定された場合、すなわち、電子機器３００Ａが撮像モードにある場合、制御部１２４は、ステップＳ５２に移行する。
【００６５】
ステップＳ５２に移行すると、制御部１２４は、撮像ユニット１００Ａと表示ユニット２００Ａとが分離状態にあるか否かを判断する。ここでの判断が肯定された場合、制御部１２４は、ステップＳ５４に移行する。なお、本実施形態においては、ステップＳ５４に移行する場合、すなわち、撮像モードに設定され、かつ各ユニット１００Ａ，２００Ａが分離状態にある場合には、制御部１２４は、撮像ユニット１００Ａを用いた撮像処理を実行する。
【００６６】
ステップＳ５４に移行すると、制御部１２４は、係合状態において表示ユニット２００Ａの表示部２１０に表示される操作用画像と同一の画像をほぼ同一の大きさで表示部１１０に表示する。例えば、本実施形態では、図２（Ａ）に示すように、係合状態において、表示部２１０にメニューアイコン２１０Ａ及び十字アイコン２１０Ｂが表示されるので、制御部１２４は、図２（Ｃ）に示すように、表示部１１０に、メニューアイコン２１０Ａに対応するメニューアイコン１１０Ａと、十字アイコン２１０Ｂに対応する十字アイコン１１０Ｂと、を表示する。これにより、係合状態におけるタッチパネル２１２の操作画面と、分離状態におけるタッチパネル１１２の操作画面とが同一となる。したがって、ユーザは、分離状態においても、係合状態と同一の操作画面（ユーザインタフェース）を用いて撮像ユニット１００Ａを操作できるので、撮像ユニット１００Ａを操作しやすく、使い勝手がよい。
【００６７】
ここで、ステップＳ５４では、制御部１２４は、操作用画像を拡大又は縮小して表示部１１０に表示することとしてもよい。例えば、図５（Ａ）、図５（Ｂ）に示すように、表示部２１０の画面サイズ（横寸法＝Ｌａ）が、表示部１１０の画面サイズ（横寸法＝Ｌｂ）よりも大きい（Ｌａ＞Ｌｂ）とする。このような場合には、制御部１２４は、表示部２１０に表示されるメニューアイコン２１０Ａ及び十字アイコン２１０Ｂの寸法を（Ｌｂ／Ｌａ）倍に縮小して、表示部１１０に表示するようにしてもよい。これにより、タッチパネル２１２の操作画面の態様と、タッチパネル１１２の操作画面の態様とをほぼ同一にすることができるので、ユーザは、撮像ユニット１００Ａのタッチパネル１１２を違和感なく操作することができる。なお、表示部２１０に表示されるアイコンの大きさを表示部１１０、２１０の縦寸法に基づき決めてもよく、表示部１１０、２１０の画面サイズの面積比に基づき決めてもよい。
【００６８】
図４に戻り、ステップＳ５６に移行すると、制御部１２４は、撮像ユニット１００Ａのタッチパネル１１２が操作されたか否かを判断する。ここでの判断が肯定された場合、ステップＳ５８に移行し、制御部１２４は、ステップＳ５６で受け付けた操作に応じた処理を撮像ユニット１００Ａに対し実行し、ステップＳ６０に移行する。
【００６９】
一方、ステップＳ５６の判断が否定された場合、すなわち、タッチパネル１１２がユーザによって操作されていない場合、制御部１２４は、ステップＳ６０に移行し、レリーズＳＷ１１４が押されたか否かを判断する。ここでの判断が否定される間は、ステップＳ５６〜Ｓ６０の処理・判断を繰り返すが、肯定された場合（レリーズＳＷ１１４が押された場合）には、制御部１２４は、ステップＳ６２において、撮像を実行し、ステップＳ５０に戻る。
【００７０】
なお、図４では、制御部１２４は、ステップＳ６０の判断が否定された場合にステップＳ５６に戻ることとしているが、これに限らず、ステップＳ５２に戻ることとしてもよい。
【００７１】
ところで、ステップＳ５２の判断が否定された場合、すなわち、撮像ユニット１００Ａと表示ユニット２００Ａとが係合状態にある場合、制御部１２４は、ステップＳ６４に移行する。なお、本実施形態においては、ステップＳ６４に移行する場合、すなわち、撮像モードに設定され、かつ各ユニット１００Ａ、２００Ａが係合状態にある場合には、制御部１２４は、表示ユニット２００Ａからの指示に基づいて、撮像ユニット１００Ａを用いた撮像処理を実行する。
【００７２】
ステップＳ６４では、制御部１２４は、表示部１１０の電源をオフにする。このように、表示部１１０の電源をオフにするのは、各ユニット１００Ａ，２００Ａが係合した状態では、表示部１１０は、表示ユニット２００Ａに隠れてしまいユーザに使用されないからである（図２（Ａ），図２（Ｂ）参照）。なお、このような制御を行うことで、電力消費量を低減することができる。なお、制御部１２４は、ステップＳ６４において、表示部１１０の電源をオフにしなくてもよい。この場合、制御部１２４は、表示部１１０を通常使用時よりも消費電力が少ない省電力モードに移行させてもよい。
【００７３】
次いで、ステップＳ６６では、制御部１２４は、表示ユニット２００Ａのタッチパネル２１２がユーザによって操作され、表示ユニット２００Ａの制御部２２４から操作指示を受信したか否かを判断する。ここでの判断が否定された場合には、制御部１２４はステップＳ７０に移行する。一方、ステップＳ６６の判断が肯定された場合には、ステップＳ６８に移行し、制御部１２４は、受信した操作指示に応じた処理を、撮像ユニット１００Ａに対して実行し、ステップＳ７０に移行する。
【００７４】
ステップＳ６６の判断が否定された後、又はステップＳ６８の後、ステップＳ７０に移行すると、制御部１２４は、ユーザによってレリーズＳＷ２１４が押され、表示ユニット２００Ａの制御部２２４から撮像指示を受信したか否かを判断する。ここでの判断が否定される間は、制御部１２４は、ステップＳ６６に戻り、ステップＳ６６〜Ｓ７０の処理・判断を繰り返す。一方、ステップＳ７０の判断が肯定されると、制御部２２４は、ステップＳ６２に移行し、撮像を実行する。その後は、制御部１２４は、ステップＳ５０に戻る。
【００７５】
ところで、ステップＳ５０の判断が否定された場合、すなわち、電子機器３００Ａが撮像モードになく「閲覧モード」にある場合には、制御部１２４は、ステップＳ５５０に移行し、閲覧モード用の制御を実行し、ステップＳ５０に戻る。このようにして、図４の処理は、電子機器３００Ａの電源がオフされるまで繰り返される。
【００７６】
（閲覧モード用の制御）
次に、電子機器３００Ａが閲覧モードにある場合に、撮像ユニット１００Ａの制御部１２４と表示ユニット２００Ａの制御部２２４とがそれぞれ実行する処理（図３のステップＳ５００、図４のステップＳ５５０）の一例について図６（Ａ）及び図６（Ｂ）のフローチャートを用いて説明する。
【００７７】
なお、本実施形態において、電子機器３００Ａが閲覧モードにある場合には、電子機器３００Ａが有する全画像を閲覧可能な「通常閲覧モード」のほか、ユーザ（電子機器３００Ａの所有者）が選択した一部の画像しか閲覧できない「プライバシーモード」を選択できるものとする。なお、「プライバシーモード」は、撮像ユニット１００Ａと表示ユニット２００Ａとが分離状態にあるときに、選択できるものとする。なお、プライバシーモードは、所有者のプライバシー保護、個人情報保護、肖像権保護などに利用される。
【００７８】
図６（Ａ）は、電子機器３００Ａが閲覧モードにある場合に、撮像ユニット１００Ａの制御部１２４が実行する処理、すなわち、図４のステップＳ５５０の処理の詳細を示すフローチャートである。また、図６（Ｂ）は、電子機器３００Ａが閲覧モードにある場合に、表示ユニット２００Ａの制御部２２４が実行する処理、すなわち、図３のステップＳ５００の処理の詳細を示すフローチャートである。
【００７９】
図６（Ｂ）の処理では、まず、ステップＳ５０２において、表示ユニット２００Ａの制御部２２４は、撮像ユニット１００Ａと表示ユニット２００Ａとが分離状態にあるか否かを判断する。ここでの判断が否定された場合（係合状態にある場合）には、制御部２２４は、ステップＳ５０４に移行し、記憶媒体１１６及び記憶媒体２１６に記憶されている画像データのうち、ユーザが選択した画像データを表示部２１０に表示する。その後は、図６（Ｂ）の処理を終了し、図３のステップＳ１０に戻る。
【００８０】
一方、ステップＳ５０２の判断が肯定された場合（分離状態にある場合）には、制御部２２４は、ステップＳ５０３に移行する。なお、以下の説明では、分離状態において、電子機器３００Ａの所有者であるユーザＸが撮像ユニット１００Ａを保持しており、その他のユーザＹが表示ユニット２００Ａを保持しているものとする。また、分離状態では、ユーザＹは、表示ユニット２００Ａの記憶媒体２１６に格納されている画像データを閲覧できるものとする。
【００８１】
ステップＳ５０３では、制御部２２４は、「プライバシーモード」であるか否かを判断する。ここでの判断が否定された場合（通常閲覧モードの場合）には、ステップＳ５０４に移行するが、肯定された場合（プライバシーモードの場合）には、ステップＳ５０５に移行する。ステップＳ５０５に移行すると、制御部２２４は、記憶媒体２１６に記憶されている画像データを撮像ユニット１００Ａに送信する。なお、撮像ユニット１００Ａに送信する画像データは、表示部２１０に表示される本画像よりもサイズが小さいサムネイル画像のデータであってもよい。また、送信する画像データは、１枚でもよいし、複数枚毎であってもよいが、本実施形態においては、記憶媒体２１６に記憶されている全てのサムネイル画像のデータを撮像ユニット１００Ａに送信するものとする。
【００８２】
次いで、ステップＳ５０６では、制御部２２４は、タッチパネル２１２によるユーザ操作の受け付けを禁止する。これにより、表示ユニット２００Ａの記憶媒体２１６に記憶されている画像データに対するユーザＹによる操作を一時的に禁止することができる。
【００８３】
これに対し、撮像ユニット１００Ａの制御部１２４は、ステップＳ５５１において、表示ユニット２００Ａからサムネイル画像のデータを受信するまで待機している。そして、表示ユニット２００Ａの制御部２２４からサムネイル画像のデータが送信されてきた段階で、ステップＳ５５２に移行する。
【００８４】
ステップＳ５５２に移行すると、制御部１２４は、受信したサムネイル画像を表示部１１０に表示する（図７（Ａ）参照）。そして、ステップＳ５５４では、制御部１２４は，電子機器３００Ａの所有者（ユーザＸ）から、ユーザＹに閲覧を許可する画像の選択を受け付ける。本実施形態においては、制御部１２４は、ユーザＹによる閲覧を許可する画像の選択を、タッチパネル１１２を介して受け付ける。例えば、図７（Ａ）に示すように、ユーザＸが、表示部１１０に表示されたサムネイル画像にタッチパネル１１２を介して触れると、画像の下に配置されたチェックボックスがチェックされ、当該画像データの閲覧が許可される。図７（Ａ）では、ユーザＹによる閲覧を許可する画像として、ＩＭ００１．ｊｐｇ、ＩＭＧ００３．ｊｐｇ、ＩＭＧ００４．ｊｐｇ、ＩＭＧ００５．ｊｐｇが選択されている。なお、制御部１２４は、表示（閲覧）を許可する画像の選択ではなく、表示（閲覧）を禁止する画像の選択を受け付けてもよい。
【００８５】
次いで、ステップＳ５５６では、制御部１２４は、ステップＳ５５４での選択結果に基づいて制限情報を生成する。本実施形態では、制御部１２４は、図７（Ａ）に示す送信ボタン１１０ＤをユーザＸが押したタイミングで制限情報を生成するものとする。ここで、制御部１２４は、表示が許可された画像のファイル名のリストを制限情報として生成してもよい。また、表示が禁止された画像のファイル名のリストを制限情報として生成してもよい。あるいは、制御部１２４は、例えば、図７（Ｂ）に示すように、「ファイル名」と、「制限情報（許可／禁止）」とを関連付ける制限情報テーブルを制限情報として生成してもよい。
【００８６】
次いで、ステップＳ５５８では、制御部１２４は、生成した制限情報を、表示ユニット２００Ａに送信することで、図６（Ａ）の処理を終了し、図４のステップＳ５０に戻る。
【００８７】
一方、表示ユニット２００Ａの制御部２２４は、ステップＳ５０６において、ユーザからの操作受け付けを禁止した後、ステップＳ５０８において、制限情報を撮像ユニット１００Ａから受信するまで待機している。したがって、制御部１２４においてステップＳ５５８が行われた段階で、制御部２２４は、ステップＳ５１０に移行することになる。
【００８８】
ステップＳ５１０に移行すると、制御部２２４は、表示を許可された画像のみを表示部２１０に表示する。例えば、図７（Ａ）に示すように、画像データＩＭＧ００２．ｊｐｇ、ＩＭＧ００６．ｊｐｇに対する閲覧が許可されなかった場合、制御部２２４は、図７（Ｃ）に示すように、ＩＭＧ００２．ｊｐｇ、ＩＭＧ００６．ｊｐｇ以外の画像を表示部２１０に表示する。
【００８９】
次いで、ステップＳ５１２では、制御部２２４は、ユーザＹからのタッチパネル２１２を介した操作の受け付けを許可する。具体的には、ユーザＹが画像を閲覧するための操作（コマ戻し／コマ送り操作や本画像の表示等）を許可するものとする。この場合、ユーザＹは、閲覧を許可された画像に対する操作のみが可能となる。なお、タッチパネル２１２への操作入力を、コマ戻し／コマ送り、拡大／縮小、回転等に限定することで、ユーザＹによる画像の改変等を防止するようにしてもよい。
【００９０】
上記のようにして、図６（Ｂ）の全処理が終了すると、図３のステップＳ１０に戻る。
【００９１】
以上、詳細に説明したように、本第１の実施形態によれば、電子機器３００Ａは、操作部２１１としてタッチパネル２１２を有する表示ユニット２００Ａと、表示部１１０を有し、表示ユニット２００Ａに着脱可能な撮像ユニット１００Ａと、を備えており、撮像ユニット１００Ａと表示ユニット２００Ａとが分離している場合には、撮像ユニット１００Ａの制御部１２４は、係合状態において表示ユニット２００Ａの表示部２１０に表示される画像（タッチパネル２１２の操作画面）を、表示部１１０に表示する。これにより、係合状態でのタッチパネル２１２の操作画面と、分離状態でのタッチパネル１１２の操作画面とが同一となるので、ユーザは、分離状態においても係合状態と同一のユーザインタフェースを用いて、撮像ユニット１００Ａを操作できる。したがって、撮像ユニット１００Ａの操作性を向上することができ、ひいては電子機器３００Ａの使い勝手を向上することができる。
【００９２】
また、本第１の実施形態では、撮像ユニット１００Ａと表示ユニット２００Ａとが分離している場合に、制御部１２４は、撮像ユニット１００Ａの表示部１１０に、係合状態において表示ユニット２００Ａの表示部２１０に表示される操作用画像（タッチパネル２１２の操作画面）を縮小して表示することとしている（図５（Ａ），図５（Ｂ）参照）。これにより、係合状態におけるタッチパネル２１２の操作画面の態様（操作用画像の画面に占める割合）と、分離状態におけるタッチパネル１１２の操作画面の態様（操作用画像の画面に占める割合）とが同一となるので、ユーザに違和感を与えないユーザインタフェースの提供が可能となる。そのため、ユーザは、分離状態においても、撮像ユニット１００Ａのタッチパネル１１２を、違和感なく操作することができる。
【００９３】
また、本第１の実施形態では、電子機器３００Ａは、撮像素子１０５を有し、撮像ユニット１００Ａ及び表示ユニット２００Ａは、撮像素子１０５に対して撮像指示を行うレリーズＳＷ１１４及びレリーズＳＷ２１４をそれぞれ備えているので、係合状態にあっても、分離状態にあっても、撮像素子１０５に対する撮像指示が可能である。
【００９４】
また、本第１の実施形態では、電子機器３００Ａは、撮像ユニット１００Ａと表示ユニット２００Ａとを係合するコネクタ１２０，２２０を備え、制御部１２４及び制御部２２４は、コネクタ１２０，２２０の係合状態に応じて、撮像ユニット１００Ａと表示ユニット２００Ａとの分離を検出するので、係合、分離を検出する特別なセンサ等を用いなくても分離状態と係合状態とに応じた適切な制御が可能である。
【００９５】
また、本第１の実施形態では、撮像ユニット１００Ａと表示ユニット２００Ａとが係合している場合に、撮像ユニット１００Ａの制御部１２４と表示ユニット２００Ａの制御部２２４とがコネクタ１２０，２２０を介して通信を行うようになっている。これにより、係合状態の場合には、撮像ユニット１００Ａと表示ユニット２００Ａとの間では有線通信が行われるため、安定したデータの送受信を実行することが可能となる。
【００９６】
また、本第１の実施形態では、表示ユニット２００Ａの制御部２２４は、画像を表示部２１０に表示する前に、サムネイル画像のデータを撮像ユニット１００Ａに送信し、画像の表示に関する制限情報を撮像ユニット１００Ａから受信する。これにより、表示ユニット２００Ａを画像閲覧用の表示用端末として使用する場合、見られたくない画像の閲覧（表示）を制限することができる。
【００９７】
また、本第１の実施形態では、制御部２２４は、コネクタ２２０が撮像ユニット１００Ａのコネクタ１２０と係合していない場合に、撮像ユニット１００Ａに画像に関するデータを送信するので、撮像ユニット１００Ａと表示ユニット２００Ａとが分離している場合、すなわち、表示ユニット２００Ａが電子機器３００Ａの所有者以外のユーザが保持している可能性が高い場合に、表示ユニット２００Ａのユーザに対して、画像の閲覧を制限することができる。また、分離状態の表示ユニット２００Ａはビューワであるため、電子機器３００Ａの所有者以外のユーザＹは、ビューワに特化した簡単な操作だけで画像を視認することができ、レンズ部１０２に触れないようにする、破損させないようにするという気遣いが不要となる。
【００９８】
また、本第１の実施形態では、制御部２２４は、表示部２１０に表示する本画像よりも小さいサイズのサムネイル画像のデータを撮像ユニット１００Ａに送信するので、画像データの送信に必要な時間を短縮することが可能となり、ひいては、画像を表示部２１０に表示するまでの時間を短縮することが可能となる。
【００９９】
また、本第１の実施形態では、制御部２２４は、コネクタ２２０とコネクタ１２０とが係合している場合に、コネクタ２２０，１２０を介して撮像ユニット１００Ａと通信を行い、コネクタ２２０とコネクタ１２０とが係合していない場合に、無線通信部２２２を用いて撮像ユニット１００Ａと無線通信を行う。これにより、コネクタ２２０がコネクタ１２０と係合している場合には、有線通信により安定したデータの送受信が可能となり、さらに、分離状態においても、無線通信により、表示ユニット２００Ａのユーザに対して画像の閲覧を制限することができる。
【０１００】
また、本第１の実施形態では、撮像ユニット１００Ａの制御部１２４は、サムネイル画像に対し制限情報を設定し、表示ユニット２００Ａに対して制限情報を送信する。これにより、表示ユニット２００Ａとは異なる端末である撮像ユニット１００Ａを用いて、画像の表示を制限する制限情報を設定することができるため、表示ユニット２００ＡのユーザＹ（閲覧者）に閲覧を制限している画像があることを知られることなく、画像の閲覧を制限することができる。また、表示ユニット２００Ａの表示部には、閲覧が許可された画像のみが表示されるため、閲覧者は違和感なく表示ユニット２００Ａを操作して画像を閲覧することができる。
【０１０１】
なお、上記第１の実施形態の図６の処理では、表示ユニット２００Ａの表示部２１０への画像の表示を禁止する場合について説明したが、これに限られるものではなく、例えば、プロジェクタ２２３による画像の投影を禁止することとしてもよい。この場合、図６（Ｂ）のステップＳ５０５において、閲覧者によってプロジェクタ２２３を起動する操作がなされた後、投影準備期間（起動する操作がなされてからプロジェクタ２２３が投影可能な状態になるまでの期間）の間に、撮像ユニット１００Ａにサムネイル画像のデータを送信するようにしてもよい。これにより、投影準備期間を有効に活用して、制限情報の設定や送信処理を行うことが可能となる。
【０１０２】
また、上記第１の実施形態では、図６（Ｂ）のステップＳ５０５において、全てのサムネイル画像のデータを撮像ユニット１００Ａに送信した後にステップＳ５０６に移行する場合について説明したが、これに限られるものではない。例えば、所定枚数毎（たとえば１０枚）のサムネイル画像のデータを送信した段階で、ステップＳ５０６に進むようにしてもよい。この場合、ステップＳ５０８において、所定枚数分の制限情報を受信した段階でステップＳ５１０に移行するようにすればよい。また、制限情報に基づく画像を表示している間に、未送信のサムネイル画像のデータの送信処理や、制限情報の取得処理を行うこととすることで、処理の効率化を図ることとしてもよい。このようにすることで、記憶媒体２１６内に大量の画像データがあっても、画像が表示されるまでに費やす時間（待機時間）の発生を極力低減することができる。
【０１０３】
また、上記第１の実施形態では、表示ユニット２００Ａの制御部２２４は、撮像ユニット１００Ａからの制限情報に基づいて、画像を表示部２１０に表示していたが、これに限定されるものではない。例えば、撮像ユニット１００Ａを表示ユニット２００Ａのリモートコントローラとして用い、表示ユニット２００Ａのプロジェクタ２２３によって投影する画像を、撮像ユニット１００Ａにおいて直接選択するようにしてもよい。この場合、プロジェクタ２２３によって画像が投影されている間に、以降に投影される予定の画像の選択を撮像ユニット１００Ａにおいて受け付けるようにすればよい。
【０１０４】
なお、上記第１の実施形態では、電子機器全体に対して撮像モード又は閲覧モードが設定される場合について説明したが、これに限られるものではない。撮像ユニットと表示ユニットとの一方に設定されたモードが、他方に反映されるようにしてもよい。例えば、表示ユニットが閲覧モードに移行した場合には、撮像ユニットも閲覧モードに移行するようにしてもよい。また、例えば、撮像ユニットと表示ユニットとで、別々のモードが設定されてもよい。
【０１０５】
なお、上記第１の実施形態では、撮像ユニット１００Ａと表示ユニット２００Ａとは、レリーズＳＷ１１４，２１４の操作に応じて静止画を撮像するものとしたが（図４のステップＳ６２，図３のステップＳ２２）、これに限られるわけではなく、レリーズＳＷ１１４，２１４の操作に応じて、動画の撮像を開始するものとしてもよい。また、動画撮影専用のスイッチを設けてもよい。
【０１０６】
（変形例１）
なお、上記第１の実施形態では、分離状態において、表示ユニット２００ＡのユーザＹが表示ユニット２００Ａの記憶媒体２１６に記憶されている画像を閲覧する場合について説明したが、これに限られるものではない。分離状態において、表示ユニット２００Ａを使用しているユーザＹが撮像ユニット１００Ａの記憶媒体１１６に記憶されている画像を閲覧することとしてもよく、この場合には、図６（Ａ）、図６（Ｂ）の処理に代えて、図８（Ａ）、図８（Ｂ）の処理が実行されることになる。
【０１０７】
以下、図８（Ａ）、図８（Ｂ）の処理について説明する。
【０１０８】
図８（Ｂ）では、まず、ステップＳ６０２において、表示ユニット２００Ａの制御部２２４が、撮像ユニット１００Ａと表示ユニット２００Ａとが分離状態にあるか否かを判断する。ここでの判断が否定された場合には、ステップＳ６１４に移行し、制御部２２４は、第１の送信方法での画像データ（例えば、本画像データ及びサムネイル画像データ）の送信を撮像ユニット１００Ａの制御部１２４に対して要求する。なお、第１の送信方法とは、表示ユニット２００Ａのユーザが要求した画像に閲覧制限をかけずに送信する方法を意味する。ステップＳ６１４の後は、ステップＳ６０８に移行する。
【０１０９】
一方、ステップＳ６０２の判断が肯定された場合（分離状態にある場合）には、ステップＳ６０４において、「プライバシーモード」であるか否かを判断する。ここでの判断が否定された場合には、ステップＳ６１４に移行して、上記と同様、制御部２２４は、第１の送信方法での画像データ送信を撮像ユニット１００Ａの制御部１２４に対して要求する。これに対し、ステップＳ６０４の判断が肯定された場合（プライバシーモードである場合）には、ステップＳ６０５に移行し、制御部２２４は、第２の送信方法での画像データ（例えば、本画像データ及びサムネイル画像データ）の送信を撮像ユニット１００Ａの制御部１２４に対して要求する。なお、第２の送信方法とは、撮像ユニット１００Ａにおいて閲覧制限を設定して画像データを送信する方法を意味する。ステップＳ６０５の後は、ステップＳ６０６に移行する。
【０１１０】
ステップＳ６０６に移行すると、制御部２２４は、上記第１の実施形態と同様、操作受付を禁止する。また、ステップＳ６０８に移行した場合には、制御部２２４は、撮像ユニット１００から画像データ（及び制限情報）を受信するまで待機する。
【０１１１】
ところで、撮像ユニット１００Ａの制御部１２４では、ステップＳ６５０において表示ユニット２００Ａの制御部２２４から送信要求が送信されてくるまで待機しており、送信要求を受信した段階で、ステップＳ６５１に移行する。ステップＳ６５１では、送信要求が第２の送信方法での送信要求か否かを判断する。ここでの判断が否定された場合には、ステップＳ６６０に移行し、制御部１２４は、記憶媒体１１６内に格納されている画像データをそのまま表示ユニット２００Ａの制御部２２４に対して送信する。一方、ステップＳ６５１の判断が肯定された場合（第２の送信方法であった場合）には、ステップＳ６５２に移行し、記憶媒体１１６内に格納されているサムネイル画像を撮像ユニット１００Ａの表示部１１０に表示する。
【０１１２】
次いで、ステップＳ６５４では、図６（Ａ）のステップＳ５５４と同様、制御部１２４は、閲覧を許可する画像の選択を受け付ける処理を行い、次のステップＳ６５６では、図６のステップＳ５５６と同様、制限情報の生成処理を実行する。更に、ステップＳ６５８では、制御部１２４は、制限情報（画像データを含む）を表示ユニット２００Ａの制御部２２４に対して送信する。なお、ステップＳ６５８では、制御部１２４は、閲覧制限がかけられた画像データそのものを制御部２２４に対して送信しないようにしてもよい。以上の処理により図８（Ａ）の処理が終了する。
【０１１３】
上記のようにステップＳ６５８又はＳ６６０が実行されると、図８（Ｂ）のステップＳ６０８の判断が肯定されて、ステップＳ６１０に移行する。ステップＳ６１０では、制御部２２４は、受信した画像を表示する。この場合、制御部２２４は、制限情報を受信している画像については、表示しないものとする。そして、ステップＳ６１２では、図６（Ｂ）のステップＳ５１２と同様、操作受付を許可する処理を実行する。これにより、図６（Ｂ）の処理が終了する。
【０１１４】
以上のように、本変形例１では、上記のような処理を行うことで、分離状態において、撮像ユニット１００Ａの記憶媒体１１６内の画像データに閲覧制限をかけることができる。
【０１１５】
なお、上記第１の実施形態及び変形例１では、撮像ユニット１００Ａを保持しているユーザが閲覧制限をかける画像を選択する場合について説明したが、これに限られるものではない。例えば、制御部１２４は、予め定められたルールに基づいて、画像データの中から、閲覧を許可する画像を自動的に決定することとしてもよい。この場合のルールとしては、不図示の顔検出機能を用いて人物が含まれない画像の閲覧を許可するというルールを採用することができる。なお、ルールは、任意に設定することができる。
【０１１６】
なお、上記のように、制御部１２４が不図示の顔検出機能の検出結果に基づいて自動的に閲覧を許可する画像を決定した場合には、画像を表示する前にユーザが決定結果を確認できるようにしてもよい。また、ユーザが、決定結果を変更できるようにしてもよい。
【０１１７】
なお、上記第１の実施形態及び変形例１では、制御部２２４は、閲覧が許可された画像のみを表示部２１０に表示するものとしたが、これに限られるものではない。例えば、表示ユニット２００Ａにおいて、表示が禁止されている画像については、予め定められたパスワードを入力することで閲覧できるようにしてもよい。また、指紋認証等の技術を使用して、表示ユニット２００Ａに予め指紋が登録されているユーザに対しては、表示が禁止されている画像も閲覧を許可することとしてもよい。
【０１１８】
なお、上記第１の実施形態及び変形例１では、制限情報が、画像の閲覧（表示）を制限する情報である場合について説明したが、これに限らず、制限情報は、例えば、画像の編集を制限する情報であってもよい。
【０１１９】
（変形例２）
図９には、第１の実施形態の変形例２に係る電子機器３００Ｂ（撮像ユニット１００Ｂ、表示ユニット２００Ｂ）の構成の一例がブロック図で示されている。また、図１０（Ａ）及び図１０（Ｂ）には、係合状態にある電子機器３００Ｂが示され、図１０（Ｃ）及び図１０（Ｄ）には、分離状態にある電子機器３００Ｂが示されている。
【０１２０】
本変形例２では、表示ユニット２００Ｂの操作部２１１Ｂが、ボタンＳＷ２１３と、レリーズＳＷ２１４と、を有している。ボタンＳＷ２１３は、表示ユニット２００Ｂや撮像ユニット１００Ｂに対する操作をユーザから受け付けるための操作部材であり、上記第１の実施形態のタッチパネル２１２の代替部材である。本変形例２では、ボタンＳＷ２１３は、図１０（Ａ）に示すように、メニューボタン２１３Ａと、十字ボタン２１３Ｂと、を含み、表示ユニット２００Ｂの筐体の背面側かつ、表示部２１０の右側に設けられている。
【０１２１】
その他の構成は、上記第１の実施形態と同様である。
【０１２２】
表示ユニット２００Ｂの処理は、図３の処理とほぼ同様であるが、タッチパネルに対する操作に関する処理が、ボタンＳＷ２１３に対する操作に関する処理となる点が異なる。また、撮像ユニット１００Ｂの処理は、図４の処理とほぼ同様であるが、ステップＳ５４の処理が一部異なる。
【０１２３】
具体的には、ステップＳ５４では、制御部２２４は、メニューボタン２１３Ａ及び十字ボタン２１３Ｂの画像を表示部１１０に表示する。例えば、図１０（Ａ）に示すように配置されているメニューボタン２１３Ａ及び十字ボタン２１３Ｂの画像（メニューアイコン１１０Ａ及び十字アイコン１１０Ｂ）を、表示ユニット２００Ａでの配置を再現するように表示部１１０に表示する（図１０（Ｃ）参照）。これにより、ユーザは、分離状態においても、表示ユニット２００Ｂに配置されていたメニューボタン２１３Ａや十字ボタン２１３Ｂに対応するアイコンを使用して撮像ユニット１００Ｂを操作できるので、撮像ユニット１００Ｂを操作しやすくなる。これにより、電子機器３００Ｂの操作性が向上することができる。なお、本変形例２において、メニューアイコン１１０Ａ及び十字アイコン１１０Ｂが表示される部分については、タッチパネル１１２を隆起させて、ボタン部材の操作感を再現してもよい。
【０１２４】
（変形例３）
上述した第１の実施形態及び変形例１，２では、撮像ユニットの制御部１２４が、表示部１１０の態様を表示ユニットの操作部２１１，２１１Ｂの態様と同一にする場合について説明したが、これに限られるものではない。以下のように、表示ユニットの制御部２２４が、表示部２１０の態様を撮像ユニットの操作部の態様と同一にすることとしてもよい。
【０１２５】
図１１には、本変形例３に係る電子機器３００Ｃ（撮像ユニット１００Ｃ、表示ユニット２００Ｃ）の構成の一例がブロック図にて示されている。また、図１２（Ａ）及び図１２（Ｂ）には、係合状態にある電子機器３００Ｃが示され、図１２（Ｃ）及び図１２（Ｄ）には、分離状態にある電子機器３００Ｃが示されている。
【０１２６】
本変形例３では、撮像ユニット１００Ｃの操作部１１１Ｃが、ボタンＳＷ１１３と、レリーズＳＷ１１４と、を有している。ボタンＳＷ１１３は、撮像ユニット１００Ｃに対する操作をユーザから受け付けるための操作部材であり、上記第１の実施形態のタッチパネル１１２の代替部材である。本変形例３では、ボタンＳＷ１１３は、図１２（Ｃ）に示すように、メニューボタン１１３Ａと、十字ボタン１１３Ｂと、を含み、撮像ユニット１００Ｃの筐体の背面側かつ、表示部１１０の右側に設けられている。
【０１２７】
その他の構成は、上記第１の実施形態と同様である。
【０１２８】
撮像ユニット１００Ｃの制御部１２４の処理は、図４の処理とほぼ同様であるが、タッチパネルに対する操作に関する処理が、ボタンＳＷ２１３に対する操作に関する処理となる点、及びステップＳ５４の処理において、通常の画面（メニュー画面等）を表示する点が異なっている。一方、表示ユニット２００Ｃの処理は、図３の処理とほぼ同様であるが、ステップＳ１２の処理において、メニューボタン１１３Ａ及び十字ボタン１１３Ｂの画像を表示部２１０に表示する点が異なっている。
【０１２９】
このように、本変形例３によれば、電子機器３００Ｃが、操作部１１１Ｃを有する撮像ユニット１００Ｃと、表示部２１０を有し、撮像ユニット１００Ｃに着脱可能な表示ユニット２００Ｃと、を備え、撮像ユニット１００Ｃと表示ユニット２００Ｃとが分離している場合に、表示ユニット２００Ｃが撮像ユニット１００Ｃの操作部１１１Ｃの態様を表示部２１０に表示するので、ユーザは、分離状態において、係合状態と同一のユーザインタフェースを用いて、撮像ユニット１００Ｃを操作することが可能となるため、電子機器３００Ｃの操作性が向上し、使い勝手がよくなる。
【０１３０】
なお、上記変形例３においては、係合状態時、撮像ユニット１００Ｃが、表示ユニット２００Ｃの一部（凹部２０１）に収納される場合について説明したが（図１２（Ａ），図１２（Ｂ）参照）、これに限らず、表示ユニットが撮像ユニットの一部に収納されてもよい。例えば、図１３（Ａ）〜図１３（Ｃ）に示すように、撮像ユニット１００Ｃ’の背面側に凹部１０１を設けておき、当該凹部１０１に、表示ユニット２００Ｃ’をスライド可能（着脱可能）に設けることとしてもよい。この場合、表示ユニット２００Ｃ’の制御部２２４は、係合状態では、メニューボタン１１３Ａ及び十字ボタン１１３Ｂの画像を表示部２１０には表示しないようにし（図１３（Ａ）参照）、分離状態では、メニューボタン１１３Ａ及び十字ボタン１１３Ｂに対応するメニューアイコン２１０Ａ及び十字アイコン２１０Ｂを表示部２１０に表示するようにする（図１３（Ｃ）参照）。このようにすることで、上記変形例３と同様の効果を得ることが可能である。
【０１３１】
なお、第１の実施形態及び各変形例において、撮像ユニットと表示ユニットとが分離状態にある場合、表示ユニットの表示部に表示される画像と、撮像ユニットの表示部に表示される画像とを同期させてもよい。例えば、第１の実施形態において、分離状態において撮像ユニット１００Ａの表示部１１０に表示されている操作用画像を、表示ユニット２００Ａの表示部２１０に表示させるようにしてもよい。これにより、表示ユニット２００Ａのユーザ（例えば、親）は、撮像ユニット１００Ａのユーザ（例えば、子）が撮像ユニット１００Ａに対して実行した操作を監視（モニタリング）することができる。あるいは、撮像ユニット１００Ａの表示部１１０に表示されているスルー画像を、表示ユニット２００Ａの表示部２１０に表示するようにしてもよい。これにより、表示ユニット２００Ａのユーザ（例えば、親）は、撮像ユニット１００Ａのユーザ（例えば、子）が撮像しようとしている被写体を、表示ユニット２００Ａにより確認することができる。
【０１３２】
《第２の実施形態》
次に、第２の実施形態について説明する。図１４には、第２の実施形態に係る電子機器３００Ｄの構成の一例がブロック図にて示されている。図１５（Ａ）には、係合状態にある電子機器３００Ｄが示され、図１５（Ｂ）及び図１５（Ｃ）には、分離状態にある電子機器３００Ｄが示されている。
【０１３３】
図１４に示すように、電子機器３００Ｄは、撮像ユニット１００Ｄと、表示ユニット２００Ｄとを備える。
【０１３４】
（撮像ユニット１００Ｄ）
撮像ユニット１００Ｄは、第１の実施形態の撮像ユニット１００Ａ（図１）と比較すると分かるように、操作環１２６を備えている点、及びこれに伴って、レンズ駆動部１０４がアクチュエータ１０４Ａと伝達機構１０４Ｂとを有している点を除き、撮像ユニット１００Ａと同様の構成を有している。なお、第１の実施形態の撮像ユニット１００Ａと同一又は同等の構成については同一の符号を付し、説明を省略するものとする。
【０１３５】
操作環１２６は、レンズ部１０２のズーム操作に用いられる環状の部材である。ユーザによって操作環１２６が回転されると、伝達機構１０４Ｂを介してレンズ部１０２が光軸方向に沿って移動するようになっている。なお、ユーザによる操作環１２６の操作量は、制御部１２４に入力され、制御部１２４では、当該操作量を用いてレンズ位置の認識や焦点距離の算出等を行う。
【０１３６】
レンズ駆動部１０４のアクチュエータ１０４Ａは、制御部１２４の制御の下、ユーザからの入力等に基づいて、レンズ部１０２を駆動する。
【０１３７】
（表示ユニット２００Ｄ）
表示ユニット２００Ｄは、第１の実施形態の表示ユニット２００Ａと同一の構成を有する。したがって、以下においては、表示ユニット２００Ｄの表示ユニット２００Ａと同一の構成については同一の符号を付すものとする。
【０１３８】
（処理）
次に、表示ユニット２００Ｄの制御部２２４が実行する処理、及び撮像ユニット１００Ｄの制御部１２４が実行する処理の一例について説明する。図１６は、制御部２２４が実行する処理の一例を示すフローチャートであり、図１７は、制御部１２４が実行する処理の一例を示すフローチャートである。なお、図１６及び図１７では、撮像に関する処理のみを示している。本第２の実施形態では、（１）表示ユニット２００Ｄと撮像ユニット１００Ｄが係合状態にある場合、（２）表示ユニット２００Ｄと撮像ユニット１００Ｄが分離状態にあり、遠隔操作モードに設定されている場合、（３）表示ユニット２００Ｄと撮像ユニット１００Ｄが分離状態にあり、遠隔操作モードに設定されていない場合、のそれぞれについて説明する。なお、遠隔操作モードとは、表示ユニット２００Ｄをリモートコントローラとして用いて撮像ユニット１００Ｄを遠隔操作するモードであり、遠隔操作モードに設定されていない場合には、表示ユニット２００Ｄと撮像ユニット１００Ｄを独立して動作させる（撮像に用いる）ことができるようになっている。
【０１３９】
なお、電子機器３００Ｄでは、撮像ユニット１００Ｄと表示ユニット２００Ｄとが分離状態となったときに自動的に遠隔操作モードとなるように設定されていてもよい。この設定は、製品の出荷時や、電子機器３００Ｄの使用開始時に設定されてもよい。また、ユーザは、電子機器３００Ｄを使用している最中に、遠隔操作モードを設定したり、遠隔操作モードを解除したりしてもよい。
【０１４０】
（１）係合状態の場合
この場合、図１６の処理では、ステップＳ３００の判断が否定されるため、表示ユニット２００Ｄの制御部２２４は、ステップＳ３０２〜Ｓ３１０の処理を実行する。また、図１７の処理では、ステップＳ４００の判断が否定されるため、撮像ユニット１００Ｄの制御部１２４は、ステップＳ４０２〜Ｓ４１０の処理を実行する。
【０１４１】
ステップＳ３０２では、表示ユニット２００Ｄの制御部２２４は、撮像ユニット１００Ｄを操作するための操作用画像を表示部２１０に表示する。具体的には、図１５（Ａ）に示すように、表示部２１０上にメニューアイコン２１０Ａ及び十字アイコン２１０Ｂを含む操作用画像を表示部２１０に表示する。なお、ステップＳ３０２では、図１５（Ａ）と図１５（Ｃ）とを比較すると分かるように、制御部２２４は、表示部２１０にズームアイコン（図１５（Ｃ）の符号２１０Ｃ参照）を表示しないものとする。
【０１４２】
次いで、ステップＳ３０４では、制御部２２４は、タッチパネル２１２がユーザからの操作を受け付けたか否かを判断する。ここでの判断が肯定された場合、すなわち、タッチパネル２１２がユーザから操作を受け付けた場合、制御部２２４は、ステップＳ３０６において、操作指示を撮像ユニット１００Ｄに送信し、ステップＳ３０８に移行する。一方、ステップＳ３０４の判断が否定された場合、すなわち、タッチパネル２１２がユーザから操作を受け付けていない場合には、ステップＳ３０８に移行する。
【０１４３】
ステップＳ３０８では、制御部２２４は、レリーズＳＷ２１４が押されたか否かを判断する。ここでの判断が肯定された場合、制御部２２４は、ステップＳ３１０において、撮像指示を撮像ユニット１００Ｄに送信し、ステップＳ３００に戻る。一方、ステップＳ３０８の判断が否定された場合、すなわち、レリーズＳＷ２１４が押されていない場合には、制御部２２４は、ステップＳ３０４に戻る。
【０１４４】
これに対し、撮像ユニット１００Ｄの制御部１２４では、ステップＳ４０２において、表示部１１０の電源をオフにする。なお、ステップＳ４０２では、制御部１２４は表示部１１０を省電力モードへと切り換えてもよい。次いで、ステップＳ４０４では、表示ユニット２００Ｄの制御部２２４から操作指示を受信したか否かを判断する。ここでの判断が肯定された場合には、ステップＳ４０６に移行し、制御部１２４は、操作指示に応じた処理を撮像ユニット１００Ｄに対して実行し、ステップＳ４０８に移行する。なお、係合状態では、表示部１１０にズームアイコン（２１０Ｃ）が表示されないため、操作指示にはズーム操作は含まれないものとする。なお、ユーザは、係合状態では、操作環１２６を用いてズーム操作を行う。
【０１４５】
一方、ステップＳ４０４での判断が否定された場合、すなわち、制御部２２４から操作指示を受信していない場合には、ステップＳ４０６を経ずに、ステップＳ４０８に移行する。
【０１４６】
ステップＳ４０８に移行すると、制御部１２４は、表示ユニット２００ＤのレリーズＳＷ２１４が押され、表示ユニット２００Ｄから撮像指示を受信したか否かを判断する。ここでの判断が否定された場合には、制御部１２４は、ステップＳ４０４に戻る。一方、撮像指示を受信し、ステップＳ４０８の判断が肯定された場合には、制御部１２４は、ステップＳ４１０において撮像を実行し、ステップＳ４００に戻る。
【０１４７】
（２）分離状態で、遠隔操作モードに設定されている場合
この場合、図１６の処理では、ステップＳ３００の判断が肯定されるとともに、ステップＳ３２０の判断が肯定されるため、表示ユニット２００Ｄの制御部２２４は、ステップＳ３２２〜Ｓ３３２、Ｓ３１０の処理を実行する。また、図１７の処理では、ステップＳ４００の判断が肯定されるとともに、ステップＳ４２２の判断が肯定されるため、撮像ユニット１００Ｄの制御部１２４は、ステップＳ４４９〜Ｓ４５８、Ｓ４１０の処理を実行する。
【０１４８】
ステップＳ３２２では、表示ユニット２００Ｄの制御部２２４は、図１５（Ｃ）に示すように、表示部２１０に対し、メニューアイコン２１０Ａ、十字アイコン２１０Ｂ、及びズームアイコン２１０Ｃを含む操作用画像を表示する。これにより、ユーザは、操作環を有さない表示ユニット２００Ｄから、撮像ユニット１００Ｄのズーム機能に対する操作を行うことが可能となる。
【０１４９】
次いで、ステップＳ３２４では、制御部２２４は、タッチパネル２１２がユーザからの操作を受け付けたか否かを判断する。ここでの判断が否定された場合、すなわち、タッチパネル２１２がユーザからの操作を受け付けていない場合、制御部２２４は、ステップＳ３３２に移行する。一方、ユーザからの操作があり、ステップＳ３２４の判断が肯定された場合には、制御部２２４は、ステップＳ３２６に移行する。
【０１５０】
ステップＳ３２６に移行すると、制御部２２４は、タッチパネル２１２が受け付けた操作がズーム操作か否か（ズームアイコン２１０Ｃが操作されたか否か）を判断する。ここでの判断が肯定された場合、制御部２２４は、ステップＳ３２８においてズーム指示を撮像ユニット１００Ｄの制御部１２４に送信し、ステップＳ３３２に移行する。一方、ユーザによる操作がズーム操作でなく、ステップＳ３２６の判断が否定された場合には、制御部２２４は、ステップＳ３３０において、操作指示を撮像ユニット１００Ｄの制御部１２４に送信し、ステップＳ３３２に移行する。
【０１５１】
ステップＳ３３２に移行すると、制御部２２４は、レリーズＳＷ２１４が押されたか否かを判断する。ここでの判断が肯定された場合、制御部２２４は、ステップＳ３１０において、撮像指示を撮像ユニット１００Ｄの制御部１２４に送信し、ステップＳ３００に戻る。一方、レリーズＳＷ２１４が押されていないため、ステップＳ３３２の判断が否定された場合には、制御部２２４は、ステップＳ３２４に戻る。
【０１５２】
これに対し、撮像ユニット１００Ｄの制御部１２４は、ステップＳ４４９において、係合状態時に表示ユニット２００Ｄの表示部２１０に表示される操作用画像と同一の画像を表示部１１０に表示する。
【０１５３】
次いで、ステップＳ４５０では、制御部１２４は、制御部２２４から操作指示を受信したか否かを判断する。ここでの判断が否定された場合には、制御部１２４は、ステップＳ４５８に移行するが、肯定された場合には、ステップＳ４５２に移行する。
【０１５４】
ステップＳ４５２に移行すると、制御部１２４は、受信した操作指示がズーム指示であるか否かを判断する。ここでの判断が肯定された場合、制御部１２４は、ステップＳ４５４において、アクチュエータ１０４Ａによりレンズ部１０２を駆動し、ステップＳ４５８に移行する。一方、ここでの判断が否定された場合、すなわち、操作指示がズーム指示ではなかった場合には、制御部１２４は、ステップＳ４５６において、操作指示に応じた処理を撮像ユニット１００Ｄに対し実行し、ステップＳ４５８に移行する。
【０１５５】
ステップＳ４５８に移行すると、制御部１２４は、制御部２２４から撮像指示を受信したか否かを判断する。ここでの判断が否定された場合には、制御部１２４は、ステップＳ４５０に戻る。一方、ステップＳ４５８の判断が肯定された場合、すなわち、撮像指示を受信した場合には、制御部１２４は、ステップＳ４１０において撮像を実行し、ステップＳ４００に戻る。
【０１５６】
（３）分離状態であるが、遠隔操作モードに設定されていない場合
この場合、図１６の処理では、ステップＳ３００の判断が肯定されるとともに、ステップＳ３２０の判断が否定されるため、表示ユニット２００Ｄの制御部２２４は、ステップＳ３４０の処理を実行する。また、図１７の処理では、ステップＳ４００の判断が肯定されるとともに、ステップＳ４２２の判断が否定されるため、撮像ユニット１００Ｄの制御部１２４は、ステップＳ４２３〜Ｓ４２８、Ｓ４１０の処理を実行する。
【０１５７】
表示ユニット２００Ｄの制御部２２４は、ステップＳ３４０において、表示ユニット２００Ｄを操作するための画像を表示部２１０に表示する。
【０１５８】
これに対し、撮像ユニット１００Ｄの制御部１２４は、ステップＳ４２３において、係合状態時に表示ユニット２００Ｄの表示部２１０に表示される操作用画像と同一の画像を表示部１１０に表示する。
【０１５９】
次いで、ステップＳ４２４では、制御部１２４は、タッチパネル１１２が操作を受け付けたか否かを判断する。ここでの判断が肯定された場合、制御部１２４は、ステップＳ４２６において、操作に応じた処理を撮像ユニット１００Ｄに対し実行し、ステップＳ４２８に移行する。一方、ステップＳ４２４の判断が否定された場合、制御部１２４は、ステップＳ４２８に移行する。
【０１６０】
ステップＳ４２８に移行すると、制御部１２４は、撮像ユニット１００ＤのレリーズＳＷ１１４が押されたか否かを判断する。ここでの判断が肯定された場合には、ステップＳ４１０において制御部１２４が撮像を実行し、ステップＳ４００に戻るが、判断が否定された場合には、ステップＳ４２４に戻る。
【０１６１】
以上、詳細に説明したように、本第２の実施形態によれば、電子機器３００Ｄは、操作部２１１を有する表示ユニット２００Ｄと、表示ユニット２００Ｄに着脱可能な撮像ユニット１００Ｄと、を備えており、制御部２２４は、表示ユニット２００Ｄと撮像ユニット１００Ｄとが分離していない状態と分離している状態において、操作部２１１が備えるタッチパネル２１２の操作用画像を異ならせることとしている。具体的には、表示ユニット２００Ｄと撮像ユニット１００Ｄとが分離している場合に、制御部２２４は、撮像ユニット１００Ｄに対するズーム操作を受け付けるためのズームアイコン２１０Ｃ（係合状態では表示していない）を表示部２１０に表示する。このように、表示ユニット２００Ｄの表示部２１０にズームアイコン２１０Ｃが表示されることで、分離状態において、表示ユニット２００Ｄから撮像ユニット１００Ｄのズーム機能を操作することが可能となる。すなわち、分離状態において、表示ユニット２００Ｄの操作部２１１を介して撮像ユニット１００Ｄが備える機能を発揮させることができるため、電子機器３００Ｄの使い勝手を向上することが可能である。
【０１６２】
また、本第２の実施形態では、撮像ユニット１００Ｄは、操作環１２６と、駆動部材を含むレンズ部１０２と、レンズ部１０２を駆動させるアクチュエータ１０４Ａ及び伝達機構１０４Ｂと、を有し、表示ユニット２００Ｄと撮像ユニット１００Ｄとが分離していない場合に、レンズ部１０２は、操作環１２６を介して伝達機構１０４Ｂにより駆動され、表示ユニット２００Ｄと撮像ユニット１００Ｄとが分離している場合に、レンズ部１０２は、タッチパネル２１２を介してアクチュエータ１０４Ａにより駆動されるようになっている。これにより、係合状態では、操作環１２６を用いた直感的なズーム操作が可能となる一方で、分離状態では、撮像ユニット１００Ｄが備えるズーム機能を、表示ユニット２００Ｄから遠隔操作することが可能となる。
【０１６３】
また、本第２の実施形態では、電子機器３００Ｄは、表示ユニット２００Ｄと撮像ユニット１００Ｄとが、分離している状態と分離していない状態とで、操作部２１１が備えるタッチパネル２１２の操作画面が異なっている（図１５（Ａ）、図１５（Ｃ））。このように、係合状態と分離状態のそれぞれで適切な表示を行うことで、ユーザの使い勝手を向上することが可能である。
【０１６４】
なお、上記第２の実施形態においては、遠隔操作モードにある場合に、ユーザが表示ユニット２００Ｄのタッチパネル２１２を介して撮像ユニット１００Ｄのズーム機能を操作する場合について説明したが、これに限られるものではない。例えば、ユーザは、表示ユニット２００Ｄのタッチパネル２１２を介して撮像ユニット１００Ｄの絞りやシャッタスピードを変更することとしてもよい。
【０１６５】
なお、上記第２の実施形態では、図１７のステップＳ４１０において、撮像ユニット１００Ｄは、レリーズＳＷ１１４，２１４の操作に応じて静止画を撮像するものとしたが、これに限られるわけではなく、レリーズＳＷ１１４，２１４の操作に応じて、動画の撮像を開始するものとしてもよい。
【０１６６】
なお、上記各実施形態および各変形例においては、制御部２２４は、撮像ユニットと表示ユニットとが分離状態にあり、電子機器の所有者以外が表示ユニットを操作する場合に、操作できる項目（機能）に制限を設けることとしてもよい。例えば、所有者以外に対して、撮像に関する操作（撮像、絞り・露出等の操作）については許可し、再生に関する操作（再生、編集）や、ユーザの新規登録等の操作については制限を設けることとしてもよい。なお、分離状態で撮像された画像については、再生に関する操作を制限しないようにしてもよい。
【０１６７】
また、上記各実施形態および各変形例においては、制御部１２４は、撮像ユニットと表示ユニットとが分離状態にあり、電子機器の所有者以外が撮像ユニットを操作する場合、操作できる項目に制限を設けてもよい。例えば、電子機器の所有者以外に対して、撮像に関する操作（撮像、絞り・露出等の操作）については許可し、再生に関する操作（再生、編集）や、ユーザの新規登録等の操作については制限するようにしてもよい。また、撮像に関する操作のうち、絞り・露出を変更する操作等について、制限するようにしてもよい。これにより、所有者が知らないうちに、自らの設定を変更されてしまう事態を防止できる。なお、分離状態で撮像された画像については、再生に関する操作は制限されないようにしてもよい。
【０１６８】
なお、撮像ユニットと表示ユニットとが係合状態にある場合にも、電子機器の所有者以外のユーザが電子機器を操作できる項目に制限を設けてもよい。なお、上記の場合において、予め定められたパスワードの入力や、指紋認証等によって、撮像ユニット及び表示ユニットを操作者が所有者であるか否かを判断してもよい。
【０１６９】
上述した各実施形態は本発明の好適な実施の例である。但し、これに限定されるものではなく、本発明の要旨を逸脱しない範囲内において種々変形実施可能である。
【符号の説明】
【０１７０】
１００Ａ〜１００Ｄ  撮像ユニット
１０２  レンズ部
１０４  レンズ駆動部
１０４Ａ  アクチュエータ
１０４Ｂ  伝達機構
１０５  撮像素子
１１０  表示部
１１１，１１１Ｃ  操作部
１１２  タッチパネル
１１３  ボタンＳＷ
１１４  レリーズＳＷ
１１６  記憶媒体
１２０  コネクタ
１２４  制御部
１２６  操作環
２００Ａ〜２００Ｄ  表示ユニット
２０２  レンズ部
２０５  撮像素子
２１０  表示部
２１１，２１１Ｂ  操作部
２１２  タッチパネル
２１３  ボタンＳＷ
２１４  レリーズＳＷ
２１６  記憶媒体
２２０  コネクタ
２２３  プロジェクタ
２２４  制御部
３００Ａ〜３００Ｄ  電子機器
【図１】
2014146932.tif 000003
【図２】
2014146932.tif 000004
【図３】
2014146932.tif 000005
【図４】
2014146932.tif 000006
【図５】
2014146932.tif 000007
【図６】
2014146932.tif 000008
【図７】
2014146932.tif 000009
【図８】
2014146932.tif 000010
【図９】
2014146932.tif 000011
【図１０】
2014146932.tif 000012
【図１１】
2014146932.tif 000013
【図１２】
2014146932.tif 000014
【図１３】
2014146932.tif 000015
【図１４】
2014146932.tif 000016
【図１５】
2014146932.tif 000017
【図１６】
2014146932.tif 000018
【図１７】
2014146932.tif 000019